(57)【要約】  本発明の実施形態は、パイロット信号の状態をプロンプティングするための方法、基地局コントローラ、および移動通信交換局を開示する。本方法は以下を含む。通話状態の第1端末によって報告されたパイロット強度が受信される。パイロット強度があらかじめ定められたしきい値よりも低い場合、やはり通話状態のピアエンド端末に対応する移動通信交換局にプロンプトシグナリングが送信される。前記プロンプトシグナリングに従って、前記ピアエンド端末に対応する移動通信交換局が、第1端末のパイロットシグナリングが不良な状態であるというプロンプトメッセージを前記ピアエンド端末に送信する。本方法を使用してパイロット信号の状態に関するプロンプトを提供することにより、ピアエンド端末は、第1端末のパイロットシグナリングの状態をタイムリーに取得して、現在通話を正常に行うことができない理由を理解できるようになる。これによって、通話品質を保護し、ユーザエクスペリエンスを向上させる。
2014514867.tif 000002
【特許請求の範囲】
【請求項１】
通話状態の第1端末によって報告されたパイロット強度を受信するステップと、
前記パイロット強度があらかじめ定められたしきい値よりも低い場合、前記通話状態のピアエンド端末に対応する移動通信交換局にプロンプトシグナリングを送信するステップと、前記プロンプトシグナリングに従って、前記ピアエンド端末に対応する前記移動通信交換局によって、前記第1端末のパイロット信号状態が不良であることを示すプロンプトメッセージを前記ピアエンド端末に送信するステップとを備える、パイロット信号状態プロンプティング方法。
【請求項２】
前記第1端末に対応する移動通信交換局と、前記ピアエンド端末に対応する前記移動通信交換局とが同じである場合、前記通話状態の前記ピアエンド端末に対応する前記移動通信交換局に前記プロンプトシグナリングを送信する処理が、
前記第1端末および前記ピアエンド端末に対応する前記移動通信交換局に前記プロンプトシグナリングを送信するステップを備える、請求項1に記載の方法。
【請求項３】
前記第1端末に対応する移動通信交換局と、前記ピアエンド端末に対応する前記移動通信交換局とが異なる場合、前記通話状態の前記ピアエンド端末に対応する前記移動通信交換局に前記プロンプトシグナリングを送信する処理が、
前記第1端末に対応する前記移動通信交換局に前記プロンプトシグナリングを送信するステップと、
前記第1端末に対応する前記移動通信交換局によって、前記ピアエンド端末に対応する前記移動通信交換局に前記プロンプトシグナリングを送信するステップとを備える、請求項1に記載の方法。
【請求項４】
前記プロンプトシグナリングがAインターフェースシグナリングであり、その予約ビットがあらかじめ定められた値である、請求項1から3のいずれか一項に記載の方法。
【請求項５】
プロンプトシグナリングを受信するステップであって、通話状態の第1端末によって報告されたパイロット強度があらかじめ定められたしきい値よりも低い場合、前記第1端末に対応する基地局コントローラによって前記通話状態のピアエンド端末に対応する移動通信交換局に前記プロンプトシグナリングが送信されるステップと、
前記プロンプトシグナリングに従って、前記第1端末のパイロット信号状態が不良であることを示すプロンプトメッセージを前記通話状態の前記ピアエンド端末に送信するステップとを備える、パイロット信号状態プロンプティング方法。
【請求項６】
前記プロンプトメッセージが音声プロンプトメッセージおよび/またはテキストプロンプトメッセージである、請求項5に記載の方法。
【請求項７】
前記プロンプトシグナリングがAインターフェースシグナリングであり、その予約ビットがあらかじめ定められた値である、請求項5または6に記載の方法。
【請求項８】
通話状態の第1端末によって報告されたパイロット強度を受信するように構成されたパイロット強度受信モジュールと、
前記パイロット強度があらかじめ定められたしきい値よりも低い場合、前記通話状態のピアエンド端末に対応する移動通信交換局にプロンプトシグナリングを送信して、前記プロンプトシグナリングに従って、前記ピアエンド端末に対応する前記移動通信交換局が、前記第1端末のパイロット信号状態が不良であることを示すプロンプトメッセージを前記ピアエンド端末に送信できるようにするように構成されたプロンプトシグナリング送信モジュールとを備える、基地局コントローラ。
【請求項９】
前記プロンプトシグナリングがAインターフェースシグナリングであり、その予約ビットがあらかじめ定められた値である、請求項8に記載の基地局コントローラ。
【請求項１０】
プロンプトシグナリングを受信するように構成されたプロンプトシグナリング受信モジュールであって、通話状態の第1端末によって報告されたパイロット強度があらかじめ定められたしきい値よりも低い場合、前記第1端末に対応する基地局コントローラによって、前記通話状態のピアエンド端末に対応する移動通信交換局に前記プロンプトシグナリングが送信される、プロンプトシグナリング受信モジュールと、
前記プロンプトシグナリングに従って、前記第1端末のパイロット信号状態が不良であることを示すプロンプトメッセージを前記通話状態の前記ピアエンド端末に送信するように構成されたプロンプトメッセージ送信モジュールとを備える、移動通信交換局。
【発明の詳細な説明】
【技術分野】
【０００１】
本発明は移動通信装置の分野に関し、より詳細には、パイロット信号状態プロンプティング（prompting：通知）方法、基地局コントローラ、および移動通信交換局に関する。
【背景技術】
【０００２】
CDMA (Code Division Multiple Access、符号分割多元接続)ネットワークでは、2人の移動端末ユーザAおよびBが通話を確立した後、彼らのネットワークトポロジ構造の簡略化されたモデルは図1に示される通りであり、ユーザAに対応する基地局システムBS1および移動通信交換局MSC1、ならびにユーザBに対応する基地局システムBS2および移動通信交換局MSC2を含む。BSはCDMAネットワークの無線トランシーバ装置であり、主に移動端末との無線通信を行う。MSはモバイルユーザのトラフィック管理を担当する。
【０００３】
端末ユーザが通話状態の時に、端末は、現在検出されるパイロット強度をBSに報告する。端末ユーザがより強い信号を有する無線環境にある場合は報告されるパイロット強度値がより高くなり、ユーザがより弱い信号を有する無線環境にある場合は報告されるパイロット強度値がより低くなる。その結果、BSは端末のパイロット強度をリアルタイムに監視することができ、それによって、パイロット強度値に応じて端末ユーザが位置している無線環境の信号強度を判断する。
【０００４】
端末ユーザAが位置している環境における信号が弱ければ、それだけBS1によって検出されるパイロット強度値が低くなる。値がある程度低下すると、ユーザAは、通話の中断および無声通話などの異常を経験する場合がある。ユーザAの異常により、ユーザBも通話異常を経験する。たとえば、ユーザBがユーザAに多くの言葉を話してもユーザAからは何の応答も聞こえないので、通信品質に深刻な影響を及ぼし、ユーザエクスペリエンスを低下させる。
【発明の概要】
【課題を解決するための手段】
【０００５】
こうした状況を考慮して、本発明は、パイロット信号状態プロンプティング方法、基地局コントローラ、および移動通信交換局を提供する。具体的なソリューションは以下の通りである。
【０００６】
パイロット信号状態プロンプティング方法は、
通話状態の第1端末によって報告されたパイロット強度を受信するステップと、
パイロット強度があらかじめ定められたしきい値よりも低い場合、通話状態のピアエンド端末に対応する移動通信交換局にプロンプトシグナリングを送信するステップと、プロンプトシグナリングに従って、ピアエンド端末に対応する移動通信交換局によって、第1端末のパイロット信号状態が不良であることを示すプロンプトメッセージをピアエンド端末に送信するステップとを含む。
【０００７】
パイロット信号状態プロンプティング方法は、
プロンプトシグナリングを受信するステップであって、通話状態の第1端末によって報告されたパイロット強度があらかじめ定められたしきい値よりも低い場合、第1端末に対応する基地局コントローラによって、通話状態のピアエンド端末に対応する移動通信交換局にプロンプトシグナリングが送信されるステップと、
プロンプトシグナリングに従って、第1端末のパイロット信号状態が不良であることを示すプロンプトメッセージを通話状態のピアエンド端末に送信するステップであって、好ましくは、プロンプトメッセージが音声プロンプトメッセージおよび/またはテキストプロンプトメッセージであるステップとを含む。
【０００８】
基地局コントローラは、
通話状態の第1端末によって報告されたパイロット強度を受信するように構成されたパイロット強度受信モジュールと、
パイロット強度があらかじめ定められたしきい値よりも低い場合、通話状態のピアエンド端末に対応する移動通信交換局にプロンプトシグナリングを送信して、プロンプトシグナリングに従って、ピアエンド端末に対応する移動通信交換局が、第1端末のパイロット信号状態が不良であることを示すプロンプトメッセージをピアエンド端末に送信できるようにするように構成されたプロンプトシグナリング送信モジュールとを含む。
【０００９】
移動通信交換局は、
プロンプトシグナリングを受信するように構成されたプロンプトシグナリング受信モジュールであって、通話状態の第1端末によって報告されたパイロット強度があらかじめ定められたしきい値よりも低い場合、第1端末に対応する基地局コントローラによって、通話状態のピアエンド端末に対応する移動通信交換局にプロンプトシグナリングが送信されるプロンプトシグナリング受信モジュールと、
プロンプトシグナリングに従って、第1端末のパイロット信号状態が不良であることを示すプロンプトメッセージを通話状態のピアエンド端末に送信するように構成されたプロンプトメッセージ送信モジュールとを含む。
【００１０】
上記の技術的ソリューションから、本発明の実施形態によって開示されるパイロット信号状態プロンプティング方法では、基地局コントローラが、第1端末によって報告されたパイロット強度を検出して、パイロット強度があらかじめ定められたしきい値よりも低い場合、ピアエンド端末に対応する移動通信交換局にプロンプトシグナリングを送信して、プロンプトシグナリングに従って、交換局がプロンプトメッセージをピアエンド端末に送信できるようにすることが分かる。このようにして、ピアエンド端末は第1端末のパイロット信号状態をタイムリーに取得でき、それによって通話品質を保証して、ユーザエクスペリエンスを向上させる。
【００１１】
本発明の実施形態における、または従来技術における技術的ソリューションをより明確に示すために、本実施形態または従来技術を説明するために必要な添付の図面を以下で簡単に導入する。以下の記述における添付の図面は本発明のいくつかの実施形態を示すに過ぎず、当業者は依然として創造的努力なしにこれらの添付の図面によって他の図面を得ることができることは明らかである。
【図面の簡単な説明】
【００１２】
【図１】通信ネットワークトポロジの構造図である。
【図２】本発明の実施形態による、パイロット信号状態プロンプティング方法のフローチャートである。
【図３】本発明の実施形態による、他のパイロット信号状態プロンプティング方法のフローチャートである。
【図４】本発明の実施形態による、他のパイロット信号状態プロンプティング方法のフローチャートである。
【図５】本発明の実施形態による、基地局コントローラの概略的構造図である。
【図６】本発明の実施形態による、移動通信交換局の概略的構造図である。
【発明を実施するための形態】
【００１３】
以下で、本発明の実施形態における技術的ソリューションを、本発明の実施形態における添付の図面を参照して明確かつ完全に説明する。説明される実施形態は、本発明の実施形態のすべてではなく、その一部に過ぎないことは明らかである。本発明の実施形態に基づいて、当業者によって創造的努力なしに取得される他のすべての実施形態は、本発明の保護範囲内に入るものとする。
【００１４】
本発明の実施形態は、CDMAネットワークに適用され、通話処理の間に端末の信号品質が不良な場合はピアエンド端末がそれをタイムリーに分かるという目的を達成でき、それによってユーザエクスペリエンスを向上させる、パイロット信号状態プロンプティング方法を開示する。
【００１５】
本発明の実施形態によって開示されるパイロット信号状態プロンプティング方法のフローチャートは図２に示される通りであり、本方法は以下を含む。
【００１６】
ステップS21:通話状態の第1端末によって報告されたパイロット強度を受信する。
【００１７】
ステップS22:パイロット強度があらかじめ定められたしきい値よりも低い場合、通話状態のピアエンド端末に対応する移動通信交換局にプロンプトシグナリングを送信して、プロンプトシグナリングに従って、ピアエンド端末に対応する移動通信交換局が、第1端末のパイロット信号状態が不良であることを示すプロンプトメッセージをピアエンド端末に送信できるようにする。
【００１８】
さらに、パイロット強度があらかじめ定められたしきい値以上の場合は、どのような動作も実行されない。
【００１９】
さらに、2人の通話者の端末が同じ移動通信交換局内にある場合、通話状態のピアエンド端末に対応する移動通信交換局にプロンプトシグナリングを送信する処理は、以下の通りである。基地局コントローラが第1端末およびピアエンド端末に対応する移動通信交換局にプロンプトシグナリングを送信して、移動通信交換局を通じてプロンプトメッセージをピアエンド端末に送信できるようにする。
【００２０】
しかし、2人の通話者の端末が異なる移動通信交換局内にある場合、通話状態のピアエンド端末に対応する移動通信交換局にプロンプトシグナリングを送信する処理は、
第1端末に対応する移動通信交換局にプロンプトシグナリングを送信するステップと、
第1端末に対応する移動通信交換局によって、ピアエンド端末に対応する移動通信交換局にプロンプトシグナリングを送信するステップとを含む。
【００２１】
最後に、ピアエンド端末に対応する移動通信交換局を通じて、プロンプトメッセージをピアエンド端末に送信する。プロンプトメッセージは音声プロンプトメッセージでもよく、すなわち、ピアエンド端末に対応する移動通信交換局が音声メッセージをピアエンド端末に送信する。音声メッセージの主なコンテンツは、第1端末のパイロット信号状態が不良であることであり、たとえば「念のためのご連絡:あなたが通話しているユーザの信号は不良であり、通話異常が発生する場合があります」などである。または、ショートメッセージなどのテキストメッセージがピアエンド端末に送信される。ショートメッセージの主なコンテンツは、第1端末のパイロット信号状態が不良であることである。実際の利用状況を考慮すると、通常ユーザは、通話中に受信したショートメッセージをタイムリーにチェックすることができない。したがって、ショートメッセージを送信する方法を採用することによって、ピアエンド端末のユーザが、第1端末のパイロット信号状態は不良であることを知ることができるのは通話終了後のみであると予測され、その適時性は音声プロンプト方法と比較すると劣っている。同様に、音声プロンプトメッセージとテキストメッセージとを同時に送信する方法も採用されてもよい。ショートメッセージに加えて、テキストメッセージもマルチメディアメッセージまたは電子メールを含んでもよい。
【００２２】
本実施形態によって開示されるパイロット信号状態プロンプティング方法では、基地局コントローラが、第1端末によって報告されたパイロット強度を受信して検出を実行し、パイロット強度があらかじめ定められたしきい値よりも低い場合、ピアエンド端末に対応する移動通信交換局にプロンプトシグナリングを送信して、プロンプトシグナリングに従って、移動通信交換局がプロンプトメッセージをピアエンド端末に送信できるようにする。このようにして、ピアエンド端末は第1端末のパイロット信号状態をタイムリーに取得して、現在正常な通話を行うことができない理由が分かり、それによって通話品質を保証して、ユーザエクスペリエンスを向上させる。
【００２３】
本発明の実施形態によって開示される他のパイロット信号状態プロンプティング方法のフローチャートは図３に示される通りであり、本方法は以下を含む。
【００２４】
ステップS31:基地局コントローラが、通話状態の第1端末によって報告されたパイロット強度を受信する。
【００２５】
ステップS22:パイロット強度があらかじめ定められたしきい値よりも低いかどうかを判断して、あらかじめ定められたしきい値よりも低い場合はステップS23を実行し、あらかじめ定められたしきい値以上の場合は終了する。
【００２６】
本実施形態におけるあらかじめ定められたしきい値MIN_PILOTは-28dbmであり、また-30bmでもよく、実際のネットワーク状態によって動的に設定された他の値でもよい。
【００２７】
ステップS33:ピアエンド端末に対応する移動通信交換局にプロンプトシグナリングを送信し、プロンプトシグナリングはAインターフェースシグナリングであり、その予約ビットはあらかじめ定められた値である。
【００２８】
本実施形態では、プロンプトシグナリングを取得するために、あらかじめ定められた値を、あらかじめ定められた規則に従ってAインターフェースシグナリングの予約ビットに割り当てる方法が採用されてもよい。特定の割当て方法は、基地局コントローラと移動通信交換局との間のAインターフェースシグナリングの予約ビットを1に設定であってもよい。
【００２９】
本実施形態では、基地局コントローラと移動通信交換局との間に適用されたAインターフェースシグナリングを拡張することによって、拡張されたAインターフェースシグナリングを使用してプロンプトシグナリングが送信される。一般的に、拡張とは、新しい機能を備えた元の規則で、予約ビットをビットに付与することである。したがって、一般的な拡張方法は、アイドルビットを使用するか、別の機能を持つビットを多重化する。本実施形態では、アイドルビットを設定する方法を採用しており、すべての予約アイドルビットが、あらかじめ設定された規則に従って1に設定されており、現在送信されたシグナリングがプロンプトシグナリングであることを示している。
【００３０】
ステップS34:ピアエンド端末に対応する移動通信交換局が、プロンプトシグナリングに従って、第1端末のパイロット信号状態が不良であることを示す音声プロンプトメッセージをピアエンド端末に送信する。
【００３１】
本実施形態では、シグナリング拡張を実行するためにすべての予約アイドルビットを1に設定する方法を採用することに限定されない。特定の拡張ソリューションは、異なる状況に従って設定されてよく、たとえば、ピアエンド端末に対応する移動通信交換局が拡張されたシグナリングをプロンプトシグナリングとして識別できることが保証される限り、特定の予約ビットは1に設定される。
【００３２】
本実施形態によって開示されるパイロット信号状態プロンプティング方法では、プロンプトシグナリングを取得するために基地局コントローラと移動通信交換局との間のシグナリングが拡張される。そのため、この方法では既存のシグナリングがキャリアとして使用され、プロンプトシグナリングの送信を実装するために既存のシグナリング送信モードが使用されるので、動作が簡単になり、実装が容易になる。
【００３３】
本発明の実施形態によって同時に開示される他のパイロット信号状態プロンプティング方法のフローチャートは図４に示される通りであり、本方法は以下を含む。
【００３４】
ステップS41:プロンプトシグナリングを受信する。通話状態の第1端末によって報告されたパイロット強度があらかじめ定められたしきい値よりも低い場合、第1端末に対応する基地局コントローラによって、通話状態のピアエンド端末に対応する移動通信交換局にプロンプトシグナリングが送信される。
【００３５】
ステップS42:プロンプトシグナリングに従って、通話状態のピアエンド端末に、第1端末のパイロット信号状態が不良であることを示すプロンプトメッセージを送信する。
【００３６】
本実施形態によって開示される方法は、第1端末に対応する移動通信交換局に適用され、図2または図3に示される方法に対応し、最後にプロンプトメッセージをピアエンド端末に送信してピアエンド端末が第1端末のパイロット信号状態をタイムリーに取得できるようにする目的を達成する。2人の通話者の端末が同じ移動通信交換局にある場合、本方法は、第1端末とピアエンド端末との両方に対応する移動通信交換局にも適用される。
【００３７】
本実施形態におけるプロンプトメッセージは、音声プロンプトメッセージでも、テキストプロンプトメッセージでもよく、また同時に送信される音声プロンプトメッセージおよびテキストプロンプトメッセージでもよい。ショートメッセージに加えて、テキストプロンプトメッセージもマルチメディアメッセージまたは電子メールを含んでもよい。音声プロンプトメッセージおよびテキストプロンプトメッセージのコンテンツは限定されない。ピアエンド端末が第1端末のパイロット信号状態を分かるようにすることができるコンテンツは、本実施形態の保護範囲内である。
【００３８】
本発明は、基地局コントローラを同時に開示し、その構造は図５に示される通りである。基地局コントローラは、パイロット強度受信モジュール51と、プロンプトシグナリング送信モジュール52とを含む。パイロット強度受信モジュール51は、通話状態の第1端末によって報告されたパイロット強度を受信するように構成されており、プロンプトシグナリング送信モジュール52は、パイロット強度があらかじめ定められたしきい値よりも低い場合、通話状態のピアエンド端末に対応する移動通信交換局にプロンプトシグナリングを送信して、プロンプトシグナリングに従って、ピアエンド端末に対応する移動通信交換局が、第1端末のパイロット信号状態が不良であることを示すプロンプトメッセージをピアエンド端末に送信できるようにするように構成されている。プロンプトシグナリングはAインターフェースシグナリングであり、その予約ビットはあらかじめ定められた値である。あらかじめ定められた値を、Aインターフェースシグナリングの予約ビットに割り当てるための方法は上記の実施形態と同じであり、ここでは繰り返し説明しない。
【００３９】
本発明は移動通信交換局を同時に開示し、その構造は図６に示される通りである。移動通信交換局は、プロンプトシグナリング受信モジュール61と、プロンプトメッセージ送信モジュール62とを含む。プロンプトシグナリング受信モジュール61は、プロンプトシグナリングを受信するように構成されており、通話状態の第1端末によって報告されたパイロット強度があらかじめ定められたしきい値よりも低い場合、第1端末に対応する基地局コントローラによって、通話状態のピアエンド端末に対応する移動通信交換局にプロンプトシグナリングが送信され、プロンプトメッセージ送信モジュール62は、プロンプトシグナリングに従って、第1端末のパイロット信号状態が不良であることを示すプロンプトメッセージを通話状態のピアエンド端末に送信するように構成されている。
【００４０】
本実施形態によって開示される移動通信交換局は、図５に示される基地局コントローラと協調的に連携する。基地局コントローラが、通話処理の間に第1端末によって送信されたパイロット強度を受信し、パイロット強度があらかじめ定められたしきい値よりも低いと判断されると、通話状態のピアエンド端末に対応する移動通信交換局にプロンプトシグナリングを送信し、プロンプトシグナリングを受信した後、移動通信交換局が、プロンプトシグナリングに従って、第1端末のパイロット信号状態が不良であることを示すプロンプトメッセージをピアエンド端末に送信して、ピアエンド端末が、通話処理の間に第1端末のパイロット信号状態をタイムリーに取得して、現在正常な通話を行うことができない理由が分かるようにし、それによってユーザエクスペリエンスを向上させる。
【００４１】
本明細書のすべての実施形態は段階的な方法で記述されている。それぞれの実施形態は他の実施形態との違いを強調する。すべての実施形態間の同じおよび類似の部分については、相互に参照が行われてよい。本実施形態に開示された装置は本実施形態に開示された方法に対応するので、簡単に記述されている。関連する部分については、方法実施形態における記述への参照が行われてよい。
【００４２】
当業者は、本明細書に開示された実施形態と組み合わせて記述されるそれぞれの例のユニットおよびアルゴリズムステップは、電子ハードウェア、コンピュータソフトウェア、またはその2つの組合せによって実装されてもよいことにさらに気付くことができるだろう。ハードウェアとソフトウェアとの互換性を明確に記述するために、それぞれの例の構成およびステップは、上記の記述の機能に従って一般的に記述されている。上記機能がハードウェア方法で実行されるか、ソフトウェア方法で実行されるかは、技術的ソリューションの特定の用途および設計制約条件に依存する。当業者は、異なる方法を使用して、特定の用途ごとに記述された機能を実装できるが、その実装形態は本発明の範囲を超えるものと見なされるべきではない。
【００４３】
本明細書に開示された実施形態と組み合わせて記述した方法またはアルゴリズムステップは、プロセッサによって実行される、ハードウェアまたはソフトウェアモジュール、またはその2つの組合せを直接使用することによって実装されてもよい。ソフトウェアモジュールは、ランダムアクセスメモリ(RAM)、メモリ、リードオンリーメモリ(ROM)、電気的プログラマブルROM、電気的消去可能プログラマブルROM、レジスタ、ハードディスク、リムーバブルディスク、CD-ROM、または当技術分野でよく知られている他の任意の記憶媒体に配置してもよい。
【００４４】
開示された実施形態の上記の記述により、当業者は本発明を実装または使用できるようになる。これらの実施形態への複数の修正は、当業者には明らかである。本発明で定義される一般原理は、本発明の趣旨または範囲から逸脱することなしに他の実施形態で実施されてもよい。したがって、本発明は、本明細書に記述された実施形態に限定されるものではなく、本明細書に開示された原理および新規性に適合する最も広い範囲に及ぶ。
【符号の説明】
【００４５】
51  パイロット強度受信モジュール
52  プロンプトシグナリング送信モジュール
61  プロンプトシグナリング受信モジュール
62  プロンプトメッセージ送信モジュール
【図１】
2014514867.tif 000003
【図２】
2014514867.tif 000004
【図３】
2014514867.tif 000005
【図４】
2014514867.tif 000006
【図５】
2014514867.tif 000007
【図６】
2014514867.tif 000008
【手続補正書】
【提出日】平成25年12月3日(2013.12.3)
【手続補正１】
【補正対象書類名】明細書
【補正対象項目名】００２５
【補正方法】変更
【補正の内容】
【００２５】
ステップS32:パイロット強度があらかじめ定められたしきい値よりも低いかどうかを判断して、あらかじめ定められたしきい値よりも低い場合はステップS33を実行し、あらかじめ定められたしきい値以上の場合は終了する。
【手続補正２】
【補正対象書類名】明細書
【補正対象項目名】００２６
【補正方法】変更
【補正の内容】
【００２６】
本実施形態におけるあらかじめ定められたしきい値MIN_PILOTは-28dbmであり、また-30dbmでもよく、実際のネットワーク状態によって動的に設定された他の値でもよい。
【手続補正３】
【補正対象書類名】明細書
【補正対象項目名】００４４
【補正方法】変更
【補正の内容】
【００４４】
開示された実施形態の上記の記述により、当業者は本発明を実装または使用できるようになる。これらの実施形態への複数の修正は、当業者には明らかである。本発明で定義される一般原理は、本発明の範囲から逸脱することなしに他の実施形態で実施されてもよい。したがって、本発明は、本明細書に記述された実施形態に限定されるものではなく、本明細書に開示された原理および新規性に適合する最も広い範囲に及ぶ。
【国際調査報告】
2014514867.tif 000009
2014514867.tif 000010
2014514867.tif 000011
2014514867.tif 000012